(57)【要約】【課題】カバー内への虫の侵入を抑制するとともに、カバー内に溜まった水の排水性を向上させるのに有利な照明器具を提供する。【解決手段】照明器具は、光源を収納する筐体と、筐体に取り付けられ、穴２６が設けられたカバー１４と、下面側の周縁部の一部に接着層３２が設けられ、穴２６を覆うメッシュ部２４とを備える。カバー１４は、接着層３２が接着される底面２８ａを含む凹部２８を有する。【選択図】図５
2019029162.tif 000002
【特許請求の範囲】
【請求項１】
光源を収納する筐体と、
前記筐体に取り付けられ、穴が設けられたカバーと、
下面側の周縁部の一部に接着層が設けられ、前記穴を覆うメッシュ部と、を備え、
前記カバーは、前記接着層が接着される底面を含む凹部を有する、照明器具。
【請求項２】
前記カバーは、前記接着層とは非接触の凸部を有し、
前記凸部の下底部は、前記底面に連接する、
請求項１に記載の照明器具。
【請求項３】
前記凸部の上底部は、前記メッシュ部の前記接着層が設けられている側の下面に当接する、請求項２に記載の照明器具。
【請求項４】
前記メッシュ部の前記接着層が設けられている側の下面とは反対側の上面は、前記凹部が形成されている前記カバーの内面よりも低い位置にある、請求項１乃至３のいずれか１項に記載の照明器具。
【請求項５】
前記凹部は、前記カバーの内側底面に形成されている、請求項１乃至４のいずれか１項に記載の照明器具。
【請求項６】
前記接着層は、前記カバーの長手方向に沿って長い形状を有する、請求項１乃至５のいずれか１項に記載の照明器具。
【請求項７】
前記底面の一部は、前記カバーの長手方向の内面に向かって突出する、請求項１乃至６のいずれか１項に記載の照明器具。
【発明の詳細な説明】
【技術分野】
【０００１】
本開示は、照明器具に関する。
【背景技術】
【０００２】
従来、街路灯や防犯灯のような、屋外に設置される照明器具がある。このような照明器具は、光源を覆う透光性のカバーを有する。カバーは、光源の保護や防水等のために、照明器具本体である筐体に密に取り付けられている。しかし、例えば、カバーの内部と外部との気温差に起因して、外部から水が入ったり、内部で結露したりすることで、カバー内に水が溜まる場合がある。そこで、特許文献１は、内部に溜まった水を外部に排水するための水抜き穴を含むカバーを有する照明器具を開示している。
【先行技術文献】
【特許文献】
【０００３】
【特許文献１】特開２０１４−６００３４号公報
【発明の概要】
【発明が解決しようとする課題】
【０００４】
特許文献１に開示されている照明器具において、水抜き穴の開口が大きければ、カバー内に溜まった水が外部に排水され易くなるが、一方で、その水抜き穴を通じて外部から虫が侵入し易くなるため、望ましくない。そこで、水抜き穴の開口形状を、侵入が想定される虫の大きさよりも小さくすることが考えられる。しかし、例えば、水抜き穴の形状を、スリット幅が虫の大きさよりも小さなスリット状とすると、カバー内に溜まった水の表面張力に起因して、水抜き穴から水が抜けきれない場合がある。
【０００５】
また、水抜き穴の開口を比較的大きく設定し、虫の大きさよりも小さな開口サイズを有するメッシュシートで水抜き穴の開口を覆うことで、虫の侵入を抑制することも考えられる。しかし、メッシュシートの表面には撥水性があるため、メッシュシートを水が通過できず、結果として、水抜き穴から水が抜けきれない場合がある。
【０００６】
本開示は、このような従来技術の有する課題に鑑みてなされたものである。そして、本開示の目的は、カバー内への虫の侵入を抑制するとともに、カバー内に溜まった水の排水性を向上させるのに有利な照明器具を提供することにある。
【課題を解決するための手段】
【０００７】
上記課題を解決するために、本開示の態様に係る照明器具は、光源を収納する筐体と、筐体に取り付けられ、穴が設けられたカバーと、下面側の周縁部の一部に接着層が設けられ、穴を覆うメッシュ部と、を備え、カバーは、接着層が接着される底面を含む凹部を有する。
【発明の効果】
【０００８】
本開示によれば、カバー内への虫の侵入を抑制するとともに、カバー内に溜まった水の排水性を向上させるのに有利な照明器具を提供することができる。
【図面の簡単な説明】
【０００９】
【図１】本開示の一実施形態に係る照明器具を示す図である。
【図２】カバーに形成されている水抜き穴部の形状を示す図である。
【図３】メッシュ部の構成を示す図である。
【図４】水抜き穴部にメッシュ部を取り付ける様子を時系列で示す図である。
【図５】水抜き部における水抜き穴部とメッシュ部との位置関係を示す図である。
【図６】水抜き部からカバー内の水が抜ける様子を時系列で示す図である。
【発明を実施するための形態】
【００１０】
以下、本実施形態について図面を参照しつつ詳細に説明する。以下の説明では、照明器具が、支柱、電柱又はポール等に取り付けられた状態で、鉛直方向をＺ方向と規定し、Ｚ方向に垂直となる平面内に、互いに垂直となるＸ方向及びＹ方向を規定する。
【００１１】
まず、本実施形態に係る照明器具の構成について説明する。図１は、本実施形態に係る照明器具１００の外観を示す斜視図である。照明器具１００は、例えば街路灯や防犯灯として、屋外に設置されることが想定されている。また、一例として、照明器具１００は、路面上に立設された支柱２の先端部２ａに支持されている。なお、照明器具１００は、支柱２に代えて、例えば既存の電柱に直接支持されるものとしてもよい。さらに、照明器具１００は、筐体１０の長手方向に沿った複数の光源１２の配列方向が、例えばＸＺ平面内で水平面に対して傾くように、支柱２に支持されている。
【００１２】
照明器具１００は、まず、筐体１０と、光源１２と、カバー１４とを備える。
【００１３】
筐体１０は、支柱２に連接される照明器具本体である。筐体１０は、１つの方向を長手方向とする直方体状であり、光源１２等を収容可能とする。筐体１０の材質は、例えば、衝撃に強く、錆難いステンレス材である。
【００１４】
光源１２は、例えば、ＬＥＤ（発光ダイオード）等の発光素子である。照明器具１００は、このような光源１２を複数有する。複数の光源１２は、例えば、不図示の基板上に、筐体１０の長手方向を基準として、所定の間隔で配置されている。そして、光源１２を実装した基板は、筐体１０に固定されている。
【００１５】
カバー１４は、複数の光源１２からなる発光面を覆うものであり、筐体１０に取り付けられる。カバー１４は、アクリル材等の透光性の材料から形成され、発光面から発せられた光を外部に透過可能とする。すなわち、カバー１４は、主に、光射出面として照明器具１００の外観を構成するとともに、光源１２等の構成要素を雨や風雪から保護する。
【００１６】
カバー１４の形状は、例えば半円筒形である。この場合、カバー１４は、筐体１０の長手方向に合わせた長さを有する曲面部１４ａと、曲面部１４ａの長手方向の一端に連接する第１側面部１４ｂと、曲面部１４ａの長手方向の他端に連接する第２側面部１４ｃとを含む。曲面部１４ａは、主としてカバー１４の光射出面を構成する。曲面部１４ａは、曲面部１４ａの長手方向に沿った第１端辺１４ａ１及び第２端辺１４ａ２を含む（図２（ａ）参照）。第１側面部１４ｂは、第１端辺１４ａ１及び第２端辺１４ａ２と垂直となる第３端辺（不図示）を含む。第２側面部１４ｃは、第１端辺１４ａ１及び第２端辺１４ａ２と垂直となる第４端辺１４ｃ１を含む（図２（ｂ）参照）。また、第１端辺１４ａ１、第２端辺１４ａ２、第３端辺及び第４端辺１４ｃ１が同一平面上で連続し、カバー１４の外枠が形成される。当該外枠の形状は、おおよそ筐体１０の外縁形状に合っている。カバー１４の外枠の端部は、筐体１０の一部に入り込む突出部１４ｄ（図２（ｂ）参照）となっている。カバー１４を筐体１０に取り付けるとき、突出部１４ｄが筐体１０の一部に係合され、そして、不図示のネジ等を用いて締結固定されることで、カバー１４内部への雨等の侵入を抑止することができる。
【００１７】
また、照明器具１００は、カバー１４内に溜まった水を外部に排水する水抜き部２０を有する。水抜き部２０は、カバー１４に形成されている水抜き穴部２２と、水抜き穴部２２に取り付けられるメッシュ部２４とを含む。
【００１８】
図２は、カバー１４に形成されている水抜き穴部２２の形状を示す拡大図である。図２（ａ）は、水抜き穴部２２をＺ方向上方から見た平面図である。図２（ｂ）は、図２（ａ）中のＩＩＢ−ＩＩＢ断面に相当し、水抜き穴部２２の中心を通るようにＸＺ平面に沿って切断した断面図である。なお、図２において、カバー１４は、照明器具１００の使用時における姿勢で描画されている。
【００１９】
照明器具１００が、光源１２の配列方向がＸＺ平面内で水平面に対して傾くように支持されているとき、筐体１０に取り付けられているカバー１４も、光射出面の長手方向がＸＺ平面内で水平面に対して角度θで傾くような姿勢となる。そのため、照明器具１００の使用時には、カバー１４で高低差が生じ、特に、第１側面部１４ｂと第２側面部１４ｃとの高さには、高低差Ｈが生じる。この状態で、第２側面部１４ｃは、高低差Ｈの最下部に相当する位置に、水平面である底面１４ｃ２を有する。
【００２０】
水抜き穴部２２は、水抜き穴２６と、水抜き溝２８とを含む。
【００２１】
水抜き穴２６は、一方の開口が底面１４ｃ２で開放され、他方の開口がカバー１４の外部に開放されるように、第２側面部１４ｃを貫通する穴である。以下、各種形状や寸法の基準とするために、水抜き穴２６の底面１４ｃ２側の開口の中心をＣと規定する。水抜き穴２６のＹ方向の形成位置、すなわち、カバー１４の長手方向とは垂直となる幅方向の位置は、第１端辺１４ａ１と第２端辺１４ａ２との中間位置とする。
【００２２】
なお、本実施形態では、水抜き穴２６は、底面１４ｃ２に対して垂直となる軸、すなわち、図２（ｂ）中に示すようなＣ軸を中心軸とした穴である。これに対して、水抜き穴２６は、底面１４ｃ２側の開口の中心をＣとし、かつ、カバー１４の外枠が筐体１０に向かう方向に平行となる軸を中心軸とした穴、すなわち、Ｃ軸に対して傾斜した軸を中心軸とした穴であってもよい。
【００２３】
水抜き溝２８は、底面１４ｃ２に形成されている凹部である。水抜き溝２８は、底面２８ａと、凸部２８ｂとを含む。
【００２４】
底面２８ａは、水抜き穴２６の周囲に形成されている。ここでは、底面２８ａの深さをＤ１と規定する。
【００２５】
底面２８ａの平面形状は、矩形領域２８ａ１と、突出領域２８ａ２とが組み合わされた形状である。矩形領域２８ａ１について、ここでは、短辺の長さをＬ１と規定し、長辺の長さをＬ２と規定する。本実施形態では、短辺は、カバー１４の長手方向に沿っている。一方、長辺は、カバー１４の幅方向に沿っている。突出領域２８ａ２の平面形状は、例えば半円状である。突出領域２８ａ２は、矩形領域２８ａ１の最も曲面部１４ａに近い部分と連接していることが望ましい。そのため、本実施形態では、突出領域２８ａ２は、最も曲面部１４ａに近い側の長辺に連接されている。すなわち、突出領域２８ａ２は、底面２８ａにおいて、矩形領域２８ａ１から曲面部１４ａに向けて突出した領域である。
【００２６】
また、底面２８ａの外周側にある第１壁部２８ｄは、底面１４ｃ２の高さ位置から底面２８ａの高さ位置に向かうにつれて開口中心Ｃに近くなるように、傾斜していてもよい。
【００２７】
凸部２８ｂは、水抜き穴２６の底面１４ｃ２側の開口の周囲に形成される。凸部２８ｂの上底部の高さ位置は、底面１４ｃ２よりも低い。一方、凸部２８ｂの下底部の高さ位置は、底面２８ａの高さと同じである。また、凸部２８ｂの外周側にある第２壁部２８ｄ１は、凸部２８ｂの高さが低くなるにつれて開口中心Ｃから離れるように、傾斜していてもよい。ここでは、凸部２８ｂの底面部のうち、底面２８ａと連接する底面部の外径をＬ３と規定する。
【００２８】
なお、本実施形態では、凸部２８ｂの側壁部のうち、第２壁部２８ｄ１とは反対側の側壁部が水抜き穴２６の内面を兼ねているが、当該形状は、必ずしも要求されるものではない。第２壁部２８ｄ１とは反対側の側壁部は、水抜き穴２６の内面を兼ねることなく、凸部２８ｂは、底面２８ａ上に独立して立設されていてもよい。
【００２９】
図３は、メッシュ部２４の構成を示す図である。図３（ａ）は、メッシュ部２４の平面図である。図３（ｂ）は、図３（ａ）のＩＩＩＢ−ＩＩＩＢ断面に相当し、メッシュ部２４の断面図である。図３（ｃ）は、メッシュシート３０の一部を拡大した平面図である。
【００３０】
メッシュ部２４は、メッシュシート３０と、接着シート３２とを含む。
【００３１】
メッシュシート３０は、細かな編み目で構成される矩形状のシートである。メッシュシート３０は、水抜き穴２６を通じてカバー１４内への侵入しようとする虫を侵入させないようにするために用いられる。図３（ｃ）を参照すると、照明器具１００内に侵入しようとする虫としては、全長が約１ｍｍの羽虫ＬＢが想定される。そこで、メッシュシート３０としては、開口サイズＡＰが例えば４００μｍ程度のものが採用され得る。ここでは、メッシュシート３０の短辺の長さをＬ４と規定し、長辺の長さをＬ５と規定する。また、メッシュシート３０の厚さをＴ１と規定する。
【００３２】
接着シート３２は、帯幅がＷと規定されるテープ状であり、両面が接着性を有する。接着シート３２は、メッシュシート３０の一方の面の周縁部の一部に接着されている。換言すれば、接着シート３２は、メッシュシート３０の周縁部の全体に連続して接着されるものではなく、その一部がカットされている。本実施形態では、一例として、接着シート３２は、それぞれがカバー１４の長手方向に沿って長く、メッシュシート３０のそれぞれの短辺側の周縁部に接着される２つのシートで構成される。ここでは、１つの接着シート３２の短辺の長さすなわち幅をＷと規定する。１つの接着シート３２の長辺の長さは、メッシュシート３０の短辺の長さＬ４と同一である。また、接着シート３２をメッシュシート３０に接着した状態のメッシュ部２４の厚さをＴ２と規定する。
【００３３】
なお、接着シート３２は、メッシュシート３０を水抜き穴部２２の底面２８ａに貼り付けるための接着層の一例である。例えば、接着層は、接着シートに代えて、メッシュシート３０に塗布される接着材それ自体で構成されるものであってもよい。
【００３４】
図４は、水抜き穴部２２にメッシュ部２４を取り付ける様子を時系列で示す図である。図４（ａ）は、メッシュ部２４が取り付けられる前の様子を示す。図４（ｂ）は、メッシュ部２４が取り付けられた後の様子を示す。
【００３５】
作業者は、図４（ａ）に示すように、メッシュ部２４を、接着シート３２の存在する側が水抜き穴部２２に向いた状態で、白抜きの矢印で示す方向に、水抜き穴部２２に近接させる。そして、作業者は、水抜き溝２８にメッシュ部２４が収容されるように、換言すれば、接着シート３２が底面２８ａの矩形領域２８ａ１に収まるように、接着シート３２を底面２８ａに貼り付ける。これにより、図４（ｂ）に示すように、メッシュ部２４は、水抜き穴部２２に固定される。以下、メッシュ部２４が水抜き穴部２２に固定されている状態を、水抜き部２０の使用状態という。以下、メッシュシート３０について、接着シート３２が存在せず、照明器具１００内に対向する側の面を、メッシュシート３０の「上面」という。一方、接着シート３２が存在し、水抜き穴２６に対向する側の面を、メッシュシート３０の「下面」という。この定義は、メッシュ部２４全体についても同様とする。
【００３６】
図５は、図４（ｂ）のＶ−Ｖ断面に相当し、水抜き部２０における水抜き穴部２２とメッシュ部２４との位置関係を示す斜視図である。
【００３７】
まず、（長さＬ５−（幅Ｗ×２）で表される２つの接着シート３２間の長さＬ６（図３（ｂ）参照）は、凸部２８ｂの下底部の外径Ｌ３よりも大きく設定されている。すなわち、凸部２８ｂは、２つの接着シート３２に非接触で挟まれる位置にある。そして、水抜き部２０の使用状態では、底面２８ａには接着シート３２が接触している。一方で、メッシュシート３０の下面側の周縁部には、接着シート３２を介して底面２８ａに固定されておらず、底面２８ａとメッシュシート３０との間に隙間Ｇが形成されている領域が生じる。その結果、底面２８ａ上には、矢印ＡＲで示されるように、水抜き溝２８が形成されている側であるカバー１４の内側の空間から、隙間Ｇを通過して、メッシュシート３０の下面へと連通する連通空間Ｓが形成される。
【００３８】
また、水抜き部２０の使用状態では、凸部２８ｂの上底部２８ｂ２は、メッシュシート３０の下面に当接する。その結果、連通空間Ｓは、水抜き穴２６に直接的に連通しない。
【００３９】
また、メッシュシート３０の平面形状は、底面２８ａの矩形領域２８ａ１の平面形状に合うように設定されている。さらに、メッシュシート３０の外形（Ｌ４×Ｌ５）は、矩形領域２８ａ１の外形（Ｌ４×Ｌ５）よりも若干小さく設定される。
【００４０】
さらに、メッシュ部２４の厚さＴ２は、底面２８ａの深さＤ１よりも小さく設定されることが望ましい。すなわち、水抜き部２０の使用状態では、メッシュシート３０の上面の高さは、底面１４ｃ２の高さよりも差ｈだけ低い位置にある。
【００４１】
次に、照明器具１００の作用、特に水抜き部２０の作用について説明する。
【００４２】
図６は、カバー１４内に溜まった水が水抜き部２０を通じて外部に抜ける様子を時系列で示す図である。上記のとおり、照明器具１００の使用時は、カバー１４は、角度θで傾いた姿勢となっている。そのため、カバー１４内に水が生じた場合、それらが集まった水ＷＡは、図６（ａ）に示すように、曲面部１４ａの内面１４ａ３を伝って底面１４ｃ２に向かう。本実施形態では、カバー１４の底面１４ｃ２に水抜き部２０が存在する。したがって、底面１４ｃ２に集まってきた水ＷＡは、図６（ｂ）に示すように、水抜き部２０上に溜まる。
【００４３】
ここで、比較例として、水抜き部が、上記例示したメッシュシート３０のようなシートが水抜き穴の開口を覆っているだけの構成である場合を考える。この場合、メッシュシートは、開口サイズが非常に小さいので、水抜き穴を通じて外部からカバー内への侵入しようとする虫を侵入させないようにすることはできる。しかし、このような開口サイズの小さいメッシュシートでは、シート表面が撥水性を有する。そのため、メッシュシート上に集まった水は、シート表面で弾かれ、メッシュシートを通過しづらい。
【００４４】
これに対して、メッシュシートの一方の表面である、水が溜まる側の上面だけでなく、メッシュシートの他方の表面である、水抜き穴に対向する側の下面も濡れていれば、メッシュシート全体が水で浸された状態となり、メッシュシートの撥水性が抑えられる。そこで、本実施形態では、水抜き部２０は、メッシュシート３０を採用するとともに、さらに上記のような形状の水抜き溝２８を採用する。
【００４５】
再度、図６（ｂ）を参照すると、水抜き部２０上に溜まった水ＷＡは、水抜き溝２８の底面２８ａの突出領域２８ａ２の上方にも存在する。ここで、図５を参照すると、突出領域２８ａ２は、上方をメッシュ部２４で覆われていない。そのため、突出領域２８ａ２の上方に流れてきた水ＷＡは、連通空間Ｓ内を矢印ＡＲに沿って導かれ、最終的にメッシュシート３０の下面に到達する。その結果、メッシュシート３０の上面だけでなく下面も水ＷＡで濡らされるため、メッシュシート３０の全体が水ＷＡに浸されることになる。これにより、メッシュシート３０の撥水性が抑えられるので、水抜き部２０上に溜まっていた水ＷＡは、その後、図６（ｃ）に示すように、水抜き穴２６を通じて、カバー１４の外部に徐々に排水されていく。
【００４６】
なお、本実施形態におけるメッシュ部２４の構成によれば、図５に示すように、突出領域２８ａ２が矩形領域２８ａ１に連接する部分のみならず、そのカバー１４の長手方向の反対側の矩形領域２８ａ１上にも、接着シート３２が存在しない。したがって、水抜き部２０上に溜まった水ＷＡには、当該場所の連通空間Ｓ内を矢印ＡＲに沿ってメッシュシート３０の下面へ導かれるものもある。
【００４７】
次に、照明器具１００による効果について説明する。
【００４８】
本実施形態に係る照明器具１００は、光源１２を収納する筐体１０と、筐体１０に取り付けられ、穴が設けられたカバー１４と、下面側の周縁部の一部に接着層が設けられ、穴を覆うメッシュ部２４とを備える。カバー１４は、接着層が接着される底面２８ａを含む凹部を有する。
【００４９】
ここで、上記の穴は、例えば水抜き穴２６に相当する。上記の接着層は、例えば接着シート３２に相当する。上記の凹部は、例えば水抜き溝２８に相当する。
【００５０】
本実施形態に係る照明器具１００によれば、上記例示したようなメッシュシート３０を含むメッシュ部２４を採用することで、水抜き穴２６を通じて外部からカバー１４内への侵入しようとする虫ＬＢを侵入させないようにすることができる。したがって、水抜き穴２６を介したカバー１４内の水ＷＡの排水効率を上げるために、水抜き穴２６の開口を大きくすることができる。具体的には、例えば、水抜き穴２６の開口の大きさを、虫ＬＢの全長よりも大きくすることができる。
【００５１】
また、底面２８ａの上方に流れてきた水ＷＡは、隙間Ｇを通過してメッシュ部２４の下面へと直接的に導かれ、特にメッシュシート３０の下面を濡らすことができる。したがって、メッシュシート３０の撥水性が抑えられ、水抜き部２０上に溜まっていた水ＷＡを、水抜き穴２６を通じてカバー１４の外部に排水することができる。
【００５２】
さらに、メッシュ部２４は、水抜き溝２８に収容される。したがって、水抜き溝２８の形状及び位置は、メッシュ部２４を固定したい位置に合わせて予め設定しておくことが望ましい。これにより、作業者は、メッシュ部２４を水抜き溝２８に固定する際に、すなわち、接着シート３２を底面２８ａに貼り付ける際に、容易に位置決めすることができる。
【００５３】
また、本実施形態に係る照明器具１００では、カバー１４は、接着層とは非接触の凸部２８ｂを有する。また、凸部２８ｂの下底部の一部は、底面２８ａに連接する。
【００５４】
本実施形態に係る照明器具１００によれば、底面２８ａとメッシュシート３０との間において、接着シート３２が存在せず、かつ、凸部２８ｂ以外の領域には、必ず隙間Ｇの連通空間Ｓが存在することになる。そして、凸部２８ｂが、隙間Ｇを通過してきた水ＷＡをメッシュ部２４の下面へ向けて無駄なく誘導することができるので、迅速にメッシュシート３０の下面を濡らすことができる。
【００５５】
また、本実施形態に係る照明器具１００では、凸部２８ｂの上底部２８ｂ２は、メッシュ部２４の接着層が設けられている側の下面に当接する。
【００５６】
本実施形態に係る照明器具１００によれば、隙間Ｇに連通する連通空間Ｓと水抜き穴２６とは、凸部２８ｂに遮られることで、直接的には連通しない。したがって、外部から水抜き穴２６を通じて侵入してきた虫ＬＢが、メッシュシート３０の下面と、凸部２８ｂの上底部２８ｂ２との間の隙間を通してカバー１４の内部に侵入することを抑止することができる。
【００５７】
また、本実施形態に係る照明器具１００では、メッシュ部２４の接着層が設けられている側の下面とは反対側の上面は、凹部が形成されているカバー１４の内面よりも低い位置にある。
【００５８】
ここで、凹部が形成されているカバー１４の内面は、例えば底面１４ｃ２に相当する。
【００５９】
本実施形態に係る照明器具１００によれば、底面１４ｃ２に集まってきた水ＷＡが、底面１４ｃ２よりも低い位置にあるメッシュ部２４の上面に導かれやすくなるため、水抜き部２０から排水されずに残る水ＷＡを極力少なくすることができる。
【００６０】
また、本実施形態に係る照明器具１００では、凹部は、カバー１４の内側底面に形成されている。
【００６１】
本実施形態に係る照明器具１００によれば、特にカバー１４が水平面に対して傾いている場合には、水抜き溝２８が、例えば底面１４ｃ２のようなカバー１４の内側底面に形成されることになる。したがって、カバー１４の内部に生じた水ＷＡを、カバー１４の内面に沿って水抜き部２０に導くことができる。
【００６２】
また、本実施形態に係る照明器具１００では、接着層は、カバー１４の長手方向に沿って長い形状を有する。
【００６３】
上記のとおり、接着シート３２は、メッシュ部２４の下面側の周縁部の一部に設けられる。また、接着シート３２は、凸部２８ｂに非接触である。その上で、本実施形態に係る照明器具１００によれば、接着層は、上記例示した２つの接着シート３２のように、カバー１４の幅方向で、凸部２８ｂを挟んで存在するような形状になり得る。結果として、底面２８ａとメッシュシート３０との間に隙間Ｇが生じる空間は、カバー１４の長手方向に沿って形成されやすい。したがって、カバー１４の長手方向に延びる内面１４ａ３に沿って流れてきた水ＷＡは、そのまま連通空間Ｓに導かれやすくなる。
【００６４】
さらに、本実施形態に係る照明器具１００では、底面２８ａの一部は、カバー１４の長手方向の内面に向かって突出する。
【００６５】
ここで、底面２８ａの一部は、例えば、突出領域２８ａ２に相当する。また、カバー１４の長手方向の内面は、例えば、カバー１４の曲面部１４ａの内面１４ａ３に相当する。
【００６６】
本実施形態に係る照明器具１００によれば、底面２８ａは、上方をメッシュ部２４で覆われていない突出領域２８ａ２を有することになる。また、突出領域２８ａ２は、底面２８ａの領域のうち、曲面部１４ａの内面１４ａ３に近い側に位置することになる。したがって、カバー１４の内面１４ａ３に沿って流れてきた水ＷＡは、そのまま連通空間Ｓに導かれやすくなる。
【００６７】
以上、好ましい実施形態について説明したが、本実施形態は、これ限定されず、その要旨の範囲内で種々の変形及び変更が可能である。
【符号の説明】
【００６８】
１０    筐体
１２    光源
１４    カバー
２４    メッシュ部
２６    穴（水抜き穴）
２８    凹部（水抜き溝）
２８ａ  底面
２８ｂ  凸部
３２    接着層（接着シート）
１００  照明器具
【図１】
2019029162.tif 000003
【図２】
2019029162.tif 000004
【図３】
2019029162.tif 000005
【図４】
2019029162.tif 000006
【図５】
2019029162.tif 000007
【図６】
2019029162.tif 000008